(57)【要約】【課題】規格サイズの壁パネルを用い、床パンの寸法調整が容易で、床パンを簡単に設置できる床パンの壁取付け構造を提供する。【解決手段】床パン１に壁パネル５を取付ける構造であって、該床パン１は下面から立ち上がった縁部が水平方向に延設されるとともに、この水平縁部２の上に固定される周縁部材３と、該周縁部材３の上に配置される壁パネル取付け部材４と、からなり、上記水平縁部２の延設部が駆体の寸法に合わせて切断加工自在とされている床パンの壁パネル取付け構造。【選択図】　図１
2004003230.tif 000002
【特許請求の範囲】
【請求項１】
床パンに壁パネルを取付ける構造であって、該床パンは下面から立ち上がった縁部が水平方向に延設されるとともに、この水平縁部の上に固定される周縁部材と、該周縁部材の上に配置される壁パネル取付け部材と、からなり、上記水平縁部はその水平延設部が駆体の寸法に合わせて切断加工自在とされている床パンの壁パネル取付け構造。
【請求項２】
上記周縁部材と上記水平縁部とが、周縁部材に埋め込まれた埋め込みボルトと水平縁部に挿着されたリブナットとによって固定される、請求項１に記載の床パンの壁パネル取付け構造。
【請求項３】
上記壁パネル取付け部材が上記周縁部材に接着剤により接着される、請求項１に記載の床パンの壁パネル取付け構造。
【請求項４】
上記壁パネル取付け部材の下面に凸設された突条が上記周縁部材の上面に凹設された溝部に嵌合された、請求項１に記載の床パンの壁パネル取付け構造。
【請求項５】
上記水平縁部の裏側に補強部材を備えるとともに、上記周縁部材が水平縁部を介して上記補強部材にネジ留めされる、請求項に記載の床パンの壁パネル取付け構造。
【発明の詳細な説明】
【０００１】
【発明の属する技術分野】
本発明は、床パンの構造に関する。さらに詳しくは、浴室に用いられる床パンに壁パネルを取付けるための、床パンの壁パネル取付け構造に関する。
【０００２】
【従来の技術】
従来、ユニットバス、トイレ付きユニットバス等の浴室を建物内に構築する場合、特開２０００−２０４７７３号、特開２００１−２７９７５４号公報等に記載のように、防水パンと称される床パンを駆体に床置きし、この床パンの周縁部に壁パネルを建て込んで壁を構成することが行なわれている。図６は、公知の床パンの一例を示す平面図である。図７は、図６のＸ−Ｘ線に沿う側断面図である。
【０００３】
図６、図７に示されているように、公知の床パン１０は、洗い場部１０１と浴槽設置部１０２とから構成されており、その周縁部は壁パネル１０５を建て込むための壁パネル載置部１０３とされている。壁パネル載置部１０３の外側には、その全周に亘って水返し部１０４が立設され、浴室から駆体側への水漏れを防いでいる。上記床パン１０は、図６のＸ−Ｘ線に沿う側断面図（図７）に示されているように駆体に床置きされ、壁パネル載置部１０３に壁パネル１０５を建て込んで浴室とする。上記床パン１０は、工業的に大量生産され、規格品、例えば、１２００ｍｍ×１８００ｍｍのサイズのものを現場に持ち込んで、駆体内部で施工し浴室としている。
【発明が解決しようとする課題】
【０００４】
しかしながら、それぞれの建物では、柱、フレーム等の支柱間隔が僅かに異なっており、したがって、規格サイズの床パンを駆体に設置するとき、この床パンが駆体のスパンより僅かに大きくても、１ランク下のサイズの床パンを設置しなければならず、駆体内にデッドスペースが生じるという問題がある。床パンのサイズを１ランク下げずに、駆体に合わせて床パンの寸法を調整する方法も考えられるが、床パンの周囲は水返し部とされているため防水性、さらには構造強度の面からも慎重な作業が必要であり、非常に手間がかかるという問題がある。そこで、本発明は、規格サイズの床パンを用い、この床パンを駆体に床置きし、壁パネルを建て込んで浴室を構築するとき、現場での床パンの寸法調整が容易で、床パンを簡単に設置でき、作業性よく浴室を構築することが可能な床パンの壁パネル取付け構造を提供することをその課題とする。
【０００５】
【課題を解決するための手段】
本発明は、上記課題を解決するために考え出されたものであって、つぎのような技術的手段を講じている。すなわち、本発明によれば、床パンに壁パネルを取付ける構造であって、該床パンは下面から立ち上がった縁部が水平方向に延設されるとともに、この水平縁部の上に固定される周縁部材と、該周縁部材の上に配置される壁パネル取付け部材と、からなり、上記水平縁部２はその水平延設部が駆体の寸法に合わせて切断加工自在とされている床パンの壁パネル取付け構造が提供される。
【０００６】
上記のように構成することにより、ユニットバス等、浴室を構築する際、現場で床パンの水平縁部を、駆体の寸法に合わせて切断加工し、駆体に嵌め込んだ後、その上に壁パネルを取付けることができる。また、本発明にかかる床パンは、縁部が水平とされ、既述したような公知の床パンに形成されていた水返し部が不要とされているため、破損し難く、積み重ねが容易であり、また、輸送、梱包コストも低く抑えることができる。
【０００７】
上記周縁部材と上記水平縁部とは、周縁部材に埋め込まれた埋め込みボルトと水平縁部に挿着されたリブナットとからなる固定手段によって固定される。このように、固定手段として、ボルト−ナット構造を用いるため、水平縁部と周縁部材とは、しっかりと固定されるとともに、分解も簡単であり、リサイクル使用の際に有利となる。
【０００８】
上記壁パネル取付け部材は、上記周縁部材に接着剤により接着されることが好ましい。このようにすることによって、壁パネル取付け部材と周縁部材とが接着、固定され、また、この周縁部材が水平縁部にボルト−ナット構造により固定されるため三者が一体化し、壁パネル取付け部材を介して、壁パネルを床パンにしっかりと取付けることができる。
【０００９】
上記壁パネル取付け部材４の下面に突条を凸設するとともに、上記周縁部材の上面に溝部を凹設し、上記突条を溝部に嵌合することが好ましい。このようにすることによって、上記周縁部材と上記壁パネル取付け部材とは、この嵌合部を介してしっかりと結合することができる。さらに、この周縁部材が、水平縁部にボルト−ナット構造により固定されるため三者が一体化し、壁パネル取付け部材を介して、壁パネルを床パンにしっかりと取付けることができる。
【００１０】
上記水平縁部の裏側に補強部材を備えるとともに、上記周縁部材が水平縁部を介し、上記補強部材に埋め込まれたネジによってネジ留めされてもよい。このようにして補強部材にネジ留めされた周縁部材の上に、壁パネル取付け部材を配置すれば、この壁パネル取付け部材を介して、壁パネルを床パンにしっかりと取付けることができる。
【００１１】
【発明の実施の形態】
以下、本発明の好ましい実施の形態について、図面を参照してさらに詳細に説明する。図１は、本発明にかかる床パンの壁パネル取付け構造の一実施形態の浴槽載置部における側断面図である。図１において、床パン１は、下面から立ち上がった縁部が水平方向に延設されるとともに、該水平縁部２はその水平延設部が切断加工自在とされており、この水平縁部２の上に、周縁部材３が固定されている。一方、上記周縁部材３の上には、壁パネル取付け部材４が配置され、壁パネル５は、この壁パネル取付け部材４に壁パネル取付け用ビスＢにより取付けられる。また、壁パネル５と床パン１との接合部には、浴室内から駆体へ水漏れが発生しないように、シリコン系防水剤等、コーキング剤Ｃが充填されている。
【００１２】
上記水平縁部２は、その延設部が切断加工自在とされ、図１に示す場合、点線で示す部分２１を駆体寸法に合うように切断加工して、床パン１を駆体に嵌め込む。このように、床パン１の水平縁部２を切断加工した後、浴室内部の広さをできるだけ大きくとるように周縁部材３を駆体側に寄せて固定する。
【００１３】
図２は、上記周縁部材３を、水平縁部２に、防水パッキンＳを介して埋め込みボルト６１とリブナット６２からなる固定手段６によって固定する状態を示す側断面分解斜視図である。図３は、上記のようにして、水平縁部２の上に固定された周縁部材３に、さらに、壁パネル取付け部材４を配置し、この壁パネル取付け部材４にビスＢによって壁パネル５を取付けた状態を示す。なお、このとき、壁パネル５自体は、図示しない天井パネルや構造材によって駆体に固定されている。
【００１４】
壁パネル取付け部材４を、周縁部材３の上に配置する形態として、単に載置するだけでもよいが、図３に示すように、両者を接着剤Ｈによって接着することが好ましい。このようにすることによって、壁パネル５自体は、天井パネルや構造材によって固定されるうえ、壁パネル取付け部材４と接着、固定された周縁部材３が水平縁部２に固定されるため、さらに、しっかりと床パン１に取付けられる。
【００１５】
図４は、周縁部材３の上面に溝部３１を凹設し、壁パネル取付け部材４の下面に凸設された突条４１を上記溝部３１に嵌合した状態を示す側断面図である。このような形態とすることにより、この嵌合部を介して、上記周縁部材３と上記壁パネル取付け部材４とが結合し、また、この周縁部材３が水平縁部２に固定されるため、壁パネル５は、しっかりと床パン１に取付けられる。
【００１６】
さらに、他の実施形態として、水平縁部２の裏側に補強部材７を取付け、この補強部材７に水平縁部２を介して、周縁部材３をネジ留めする形態としてもよい。図５は、周縁部材３を、周縁部材３に埋め込まれた木ネジＭで、補強部材７に固定した形態を示す側断面図である。このようにして固定された周縁部材３の上に、既述したように、壁パネル取付け部材４を配置し、この壁パネル取付け部材４を介して壁パネル５を固定する。さらに、既述したように、周縁部材３と壁パネル取付け部材４とを接着剤Ｈにより接着してもよい。あるいは、上記周縁部材３の上面に溝部３１を凹設し、この溝部３１に嵌合する突条４１を上記壁パネル取付け部材４の下面に凸設する形態とし、溝部３１と突条４１との嵌合部を介して、上記周縁部材３と上記壁パネル取付け部材４とを結合する形態としてもよい。
【００１７】
かくして、壁パネル５を取付けられた床パン１は、駆体の寸法に合わせて嵌め込まれ、図１に示すように、アンカーボルトＱを介して駆体上に床置きされる。その結果、各駆体のスパンに合わせて、浴室のスペースを最大限に取ることができる。また、本発明の床パンの壁パネル取付け構造は、浴室のみならず、組立て式水槽、土木工事用防水壁等、種々の用途に応用可能である。
【００１８】
【発明の効果】
以上述べたように、請求項１に記載の発明は、床パン１に壁パネル５を取付ける構造であって、該床パン１は下面から立ち上がった縁部が水平方向に延設されるとともに、この水平縁部２の上に固定される周縁部材３と、該周縁部材３の上に配置される壁パネル取付け部材４と、からなり、上記水平縁部２はその水平延設部が駆体の寸法に合わせて切断加工自在とされている床パンの壁パネル取付け構造である。
【００１９】
上記のように構成することによって、ユニットバス等、浴室を構築する際、現場で床パンの水平縁部２の延設部を、駆体の寸法に合わせて切断加工し、駆体に嵌め込んだ後、その上に壁パネルを取付けることができる。また、本発明にかかる床パンは、縁部が水平とされ、既述したような公知の水返し部が不要とされているため、破損し難く、積み重ねが容易であり、また、輸送、梱包コストも低く抑えることができる。
【００２０】
請求項２に記載の発明は、上記周縁部材３と上記水平縁部２とが、周縁部材３に埋め込まれた埋め込みボルト６１と水平縁部に挿着されたリブナット６２によって固定される。このように、固定手段６として、ボルト−ナット構造を用いることにより、請求項１に記載の発明の効果に加えて、水平縁部２と周縁部材３とが、しっかりと固定されるとともに、分解も簡単となり、リサイクル使用の際に有利となる。
【００２１】
請求項３に記載の発明は、上記壁パネル取付け部材４が上記周縁部材３に接着剤Ｈにより接着される。このようにすることによって、請求項１に記載の発明の効果に加え、壁パネル取付け部材４と周縁部材３とが接着、固定され、また、この周縁部材３が水平縁部２にボルト−ナット構造により固定されるため三者が一体化し、壁パネル取付け部材４を介して、壁パネル５を床パン１にしっかりと取付けることができる。
【００２２】
請求項４に記載の発明は、上記壁パネル取付け部材４の下面に凸設された突条４１が上記周縁部材３の上面に凹設された溝部３１に嵌合される。このようにすることによって、請求項１に記載の発明の効果に加え、上記嵌合部を介して、上記周縁部材３と上記壁パネル取付け部材４とが結合し、また、周縁部材３が水平縁部２にボルト−ナット構造により固定されるため三者が一体化し、壁パネル取付け部材４を介して、壁パネル５を床パン１にしっかりと取付けることができる。
【００２３】
請求項５に記載の発明は、上記水平縁部２の裏面に補強部材７を備えるとともに、上記周縁部材３が水平縁部２を介して上記補強部材７にネジ留めされる。このように、補強部材７にネジ留めされた周縁部材３の上に、パネル取付け部材４を配置すれば、請求項１に記載の発明の効果に加え、壁パネル取付け部材４を介して、壁パネル５を床パン１にしっかりと取付けることができる。
【図面の簡単な説明】
【図１】本発明にかかる床パンの壁パネル取付け構造の一実施形態の浴槽載置部における側断面図である。
【図２】上記実施例における周縁部材を水平縁部に固定手段により固定する状態を示す側断面分解斜視図である。
【図３】本発明の床パンの壁パネル取付け構造の一実施形態を示す側断面図である。
【図４】本発明の床パンの壁パネル取付け構造の、他の実施形態を示す側断面図である。
【図５】本発明の床パンの壁パネル取付け構造の、さらに他の実施形態を示す側断面図である。
【図６】公知の床パンの一例を示す平面図である。
【図７】図６のＸ−Ｘ線に沿う側断面図である。
【符号の説明】
１　　　　床パン
２　　　　水平縁部
２１　　　水平縁部において切断加工された部分
３　　　　周縁部材
３１　　　周縁部材上面に凹設された溝部
４　　　　壁パネル取付け部材
４１　　　壁パネル取付け部材下面に凸設された突条
５　　　　壁パネル
６　　　　固定手段
６１　　　埋め込みボルト
６２　　　リブナット
７　　　　補強部材
Ｂ　　　　壁パネル固定用ビス
Ｃ　　　　コーキング剤
Ｈ　　　　接着剤
Ｍ　　　　木ネジ
Ｓ　　　　防水パッキン
Ｑ　　　　アンカーボルト
１０　　　公知の床パン
１０１　　公知の床パンの洗い場部
１０２　　公知の床パンの浴槽載置部
１０３　　公知の床パンの壁パネル載置部
１０４　　公知の床パンの水返し部
１０５　　公知の床パンに取付けられた壁パネル
【図１】
2004003230.tif 000003
【図２】
2004003230.tif 000004
【図３】
2004003230.tif 000005
【図４】
2004003230.tif 000006
【図５】
2004003230.tif 000007
【図６】
2004003230.tif 000008
【図７】
2004003230.tif 000009